(57)【要約】【課題】  離形紙のゴミが発生しにくく、処理も容易で、かつ、ケース内に残存している目地材の本数確認も容易な目地材集合体を提供する。【解決手段】  少なくとも一面に粘着層１３が形成された棒状の目地材１１と、一つの離形紙１２の上に、複数本の目地材１１を並べて配置した。目地材１１の材料は、２５％圧縮応力が３０ｋＰａ〜３００ｋＰａのものであるとよく、前記材料としてポリエチレン又はポリプロピレンを含むポリオレフィン系の発泡樹脂を用いることができる。【選択図】  図１
2019031788.tif 000002
【特許請求の範囲】
【請求項１】
少なくとも一面に粘着層が形成された棒状の目地材を有し、一つの離形紙の上に複数本の前記目地材を並べて配置したこと、
を特徴とする目地材集合体。
【請求項２】
前記目地材の材料が、２５％圧縮応力が３０ｋＰａ〜３００ｋＰａのものであることを特徴とする請求項１に記載の目地材集合体。
【請求項３】
前記材料がポリエチレン又はポリプロピレンを含むポリオレフィン系の発泡樹脂であることを特徴とする請求項１又は２に記載の目地材集合体。
【請求項４】
目地材を形成する樹脂材料で、所定の厚み及び長さを有するブロック体を形成し、
このブロック体の少なくとも一面に粘着層を形成し、
この粘着層に離形紙を貼り付け、
前記離形紙を切断しないように、前記ブロック体を前記目地材の幅で平行に裁断したこと、
を特徴とする目地材集合体の製造方法。
【請求項５】
前記目地材の材料が、２５％圧縮応力が３０ｋＰａ〜３００ｋＰａのものであることを特徴とする請求項４に記載の目地材集合体の製造方法。
【請求項６】
前記材料がポリエチレン又はポリプロピレンを含むポリオレフィン系の発泡樹脂であることを特徴とする請求項４〜６のいずれかに記載の目地材集合体の製造方法。
【請求項７】
前記目地材の長さと同一尺又はこれより長尺の切れ刃を準備し、この切れ刃と前記ブロック体とを前記目地材の幅寸法ずつ相対移動させながら前記ブロック体を裁断することを特徴とする請求項４〜６のいずれかに記載の目地材集合体の製造方法。
【請求項８】
前記目地材の長さと同一尺又はこれより長尺の切れ刃を複数準備し、前記切れ刃を前記目地材の幅寸法と同じ間隔で配置して前記ブロック体を裁断することを特徴とする請求項４〜６のいずれかに記載の目地材集合体の製造方法。
【発明の詳細な説明】
【技術分野】
【０００１】
本発明は、少なくとも一面に形成された粘着層とこの粘着層に貼り付けられた離形紙とを有し、主として建築用に用いられる目地材に関し、特に複数の目地材を一枚の離形紙に貼り付けた目地材集合体及びその製造方法に関する。
【背景技術】
【０００２】
建築用の目地材は、予め設定された長さ、幅及び肉厚の目地材の一面に粘着層が形成され、この粘着層を介して離形紙が貼り付けられており、まとまった数量の建築用目地材を収納したケースから必要本数の前記目地材を取り出して離形紙を剥がし、目的とする目地に前記目地材を設置することが行われている（例えば、特許文献１の図２、特許文献２参照）。
【先行技術文献】
【特許文献】
【０００３】
【特許文献１】特開昭５２−１２４７２３号公報（図面の図２参照）
【特許文献２】特開平５−３４６０４４号公報号公報
【発明の開示】
【発明が解決しようとする課題】
【０００４】
しかし、上記した従来の建築用目地材においては、目地材の数だけ離形紙が存在することから、目地材を使用するたびに剥離紙のゴミが発生するが、細長い離形紙のゴミが大量に発生してその処理が面倒であるほか、処理し忘れた細長い離形紙のゴミが建築現場に散乱するなどの問題がある。また、一部を取り出して使用した目地材を収納ケースには、使い残しの目地材が乱雑に収容されているため、使い残しの目地材が何本残っているかを確認するには、目地材を一本一本数えなければならず、ケースの数が多くなるほどその作業が煩雑になるという問題もある。
本発明は上記の問題に鑑みてなされたもので、離形紙のゴミが発生しにくく、処理も容易で、かつ、ケース内に残存している目地材の本数確認も容易な目地材集合体及びその製造方法の提供を目的とする。
【課題を解決するための手段】
【０００５】
上記目的を達成するための本発明の目地材集合体は、請求項１に記載するように、少なくとも一面に粘着層が形成された棒状の目地材を有し、一つの離形紙の上に、複数本の前記目地材を並べて配置した構成としてある。
請求項２に記載の目地材集合体は、前記目地材の材料が、２５％圧縮応力が３０ｋＰａ〜３００ｋＰａのものである構成としてある。また、請求項３に記載の目地材集合体は、前記材料がポリエチレン又はポリプロピレンを含むポリオレフィン系の発泡樹脂である構成としてある。
【０００６】
本発明によれば、例えば１０本の目地材から構成される目地材集合体とすることで、離形紙のゴミの発生を従来の１０分の１にすることができる。また、離形紙は目地材１０本分の幅を有する広幅のものであるので、従来の細長い離形紙のゴミに比して散らばりにくいという利点がある。さらに、使い残しの目地材はケース内で離形紙に貼り付けられた状態で整列して収容されているので、目地材の残存本数を確認するには、離形紙が何枚残っているか、各離形紙に何本の目地材が残っているかを数えるだけでよく、残存本数の確認も容易になる。
【０００７】
上記構成の本発明の目地材集合体は、請求項４以下の方法によって製造することができる。
すなわち、請求項４に記載の方法は、目地材を形成する樹脂材料で、所定の厚み及び長さを有するブロック体を形成し、このブロック体の少なくとも一面に粘着層を形成し、この粘着層に離形紙を貼り付け、前記離形紙を切断しないように、前記ブロック体を前記目地材の幅で平行に裁断した方法としてある。
【０００８】
前記ブロック体は、回転刃又は直線刃などの切れ刃によって目地材の幅で平行に裁断することができるが、前記切れ刃の肉厚分だけ目地材が横方向に押圧され、裁断された目地材が離形紙から剥がれてしまうおそれがある。そこで、請求項５に記載するように、前記目地材の材料として２５％圧縮応力が３０ｋＰａ〜３００ｋＰａのもの、例えば請求項６に記載するように、ポリエチレン又はポリプロピレンを含むポリオレフィン系の発泡樹脂で形成することで、離形紙から目地材が剥離することなく、目地材集合体を裁断することが可能になる。
【０００９】
目地材集合体を裁断するためには、請求項７に記載するように、前記目地材の長さと同一尺又はこれより長尺の切れ刃を準備し、この切れ刃と前記ブロック体とを前記目地材の幅寸法ずつ相対移動させながら前記ブロック体を裁断するようにしてもよいし、請求項８に記載するように、前記目地材の長さと同一尺又はこれより長尺の切れ刃を複数準備し、前記切れ刃を前記目地材の幅寸法と同じ間隔で配置して前記ブロック体を裁断するようにしてもよい。
【発明を実施するための最良の形態】
【００１０】
本発明の目地材集合体の好適な実施形態を、図面を参照しながら詳細に説明する。
図１（ａ）は、本発明の建築用目地材の一実施形態を示す斜視図、（ｂ）は（ａ）の目地材集合体を矢印Ｉ方向から見た部分拡大図である。
目地材集合体１は、長さＬ、幅Ｓ、肉厚Ｈの角棒状の複数本（図示の例では１２本）の目地材１１を、平行に密接させて一枚の離形紙１２の上に貼り付けて構成される。目地材１１の底面には粘着層１３が形成されていて、この粘着層１３によって目地材１１が離形紙１２に貼り付けられる。目地材１１は、図１（ａ）に示すように離形紙１２から一本ずつ離形させて使用する。
【００１１】
図２は上記構成の目地材集合体１を形成する手順を説明する図で、（ａ）はその斜視図、（ｂ）（ｃ）は切れ刃による裁断の様子を示すＩ方向矢視拡大図である。
【００１２】
目地材１１を構成する樹脂材料と同一の材料で形成され、目地材１１と同じ長さＬ及び肉厚Ｈのブロック体１′を準備し、その一面に粘着層１３を形成して離形紙１２に貼り付ける。ブロック体１′の幅Ｓ′は、目地材１１の幅Ｓの複数倍（図１のように１２本の目地材１１を一枚の離形紙１２の上に形成する場合は１２倍）とする。
【００１３】
次に、図示しない裁断機の移動テーブルＴ上にブロック体１′を固定する。固定の方法は特に限定されないが、例えばエアの吸引によるものとすることができる。また、前記裁断機の切れ刃１５（１６）として、目地材１１の長さＬと同一長さ又はこれより若干長い刃長を有するものを準備し、ブロック体１′の一方の端面１ａ′に切れ刃１５（１６）を合わせる。そして、移動テーブルＴをＸ方向に幅Ｓずつ送りつつ、切れ刃１５（１６）をＺ方向に昇降させながら、ブロック体１′を裁断する。この際、図２（ｂ）（ｃ）に示すように、切れ刃１５（１６）によって離形紙１２が裁断されないように、切れ刃１５（１６）の下降下限値を設定する。
【００１４】
図３は裁断方法の別の実施形態を示す斜視図である。この実施形態では、図２（ａ）の切れ刃１５（１６）と同じ切れ刃１５（１６）を、目地材１１の幅Ｓと同じ間隔で複数配置している。このようにすれば、複数の切れ刃１５（１６）をＺ方向に昇降させるだけで、離形紙１２上のブロック体１′を切れ刃１５（１６）の数に応じた複数本の目地材１１に同時に裁断することができる。
【００１５】
図２（ｂ）（ｃ）は、切れ刃によるブロック体１′の裁断の様子を示す図であるが、切れ刃１５（１６）の断面形状によってブロック体１′に作用する横方向の力の大きさが変化する。
【００１６】
切れ刃１５，１６の一例を図４に部分拡大図で示す。
図４（ａ）の切れ刃１５は、刃先角θ，幅ｈ１のＶ字形の刃部１５ｃを備えていて、肉厚ｔ１の本体部１５ａとの間には幅ｈ２のテーパ部１５ｂが介在している。ポリエチレン又はポリプロピレンを含むポリオレフィン系の発泡樹脂製のブロック体１′から、例えば肉厚Ｈ＝８ｍｍ〜１０ｍｍ、幅Ｓ＝５ｍｍ〜１０ｍｍ（長さＬは、この種の目地材における一般的な長さ）の目地材１１を形成する場合は、刃先角θ＝４３°、刃部１５ｃの幅ｈ１＝０．７ｍｍ、テーパ部１５ｂの幅ｈ２＝２．３ｍｍのステンレス製の切れ刃１５を用いることができる。
また、図４（ｂ）の切れ刃１６は、刃部１６ｃと本体部１６ａとの間にテーパ部１６ｂが介在している点は図４（ａ）の切れ刃１５と同じであるが、切れ刃１５を中心線Ｃで分割した形状となっていて、一側に平坦面１６ｄが形成された片刃形となっている。
【００１７】
図２（ｂ）に示すように、Ｖ字状の切れ刃１５（図４（ａ）参照）によってブロック体１′を裁断すると、ブロック体１′には切れ刃１５の両側に圧縮応力が作用する。この圧縮応力によって粘着面１３に作用する横方向（滑り方向）の力が大きいと、裁断の際に目地材１１が離形紙１２からずれてしまうおそれがある。
【００１８】
このずれを防止するための手段としてはいくつかを挙げることができる。
第一に、ブロック体１′の材料として、裁断の際の圧縮応力を吸収するように弾性変形するものを選択する。建築用の目地材１１の材料として一般的に使用されるポリエチレン又はポリプロピレンを含むポリオレフィン系の発泡樹脂を用いる場合は、２５％圧縮応力が３０ｋＰａ〜３００ｋＰａのものを選択するとよい。この範囲の中で好ましくは７０ｋＰａ〜２２０ｋＰａのもの、より好ましくは９０ｋＰａ〜１４０ｋＰａのものを選択するとよい。
なおこの場合、切れ刃１５の昇降速度に合わせてブロック体１′が十分に弾性変形できるように、ブロック体１′の材料に応じて切れ刃１５の昇降速度を設定する必要がある。
【００１９】
第二に、粘着層１３の粘着剤を選択する。粘着層１３としては、この種の目地材に一般的に使用されているゴム系、アクリル系のほかシリコーン系のものを用いることができるが、離形紙１２に対する上下方向（離形方向）の力は小さい（つまり離形しやすい）が、可能な限り横方向（滑り方向）の抵抗が大きいものを選択する。
第三に、図２（ｂ）に示すように、端面１ａ′をテーブルＴ上に固定したストッパ２０に当接させ、裁断中に目地材１１が横方向にずれないようにする。
【００２０】
第四に、図２（ｃ）に示すように片刃の切れ刃１６（図４（ｂ）参照）を用いる。粘着層１３における滑り方向の力に対する抵抗は、端面１ａ′に近いほど小さい。そのため、端面１ａ′の近傍では、端面１ａ′側にはなるべく圧縮応力が作用しないようにするとよい。端面１ａ′側が平坦面１６ｄとして形成された片刃状の切れ刃１６を用いると、端面１ａ′側に作用する圧縮応力をほぼ０とすることができる。なお、この第四の手段を用いる場合は、ブロック体１′の中央あたりで、平坦面１６ｄが反対側の端面１ａ′を向く別の切れ刃１６に切り替える必要がある。
【００２１】
上記した第一〜第四の手段はそれぞれ単独でも効果があるが、第一〜第四の手段を適宜に組み合わせてもよい。
【００２２】
本発明の好適な実施形態について説明したが、本発明の目地材集合体及びその製造方法は上記の説明に限定されない。
例えば、上記の説明では、予め長さＬ、肉厚Ｈ、幅Ｓ′に裁断されたブロック体１′に離形紙１２を貼り付けるものとして説明したが、これより大きいブロック体に離形紙１２を貼り付け、長さＬ、肉厚Ｈ、幅Ｓ′のブロック体１′に裁断するようにしてもよい。
また、幅Ｓ′より大きい幅寸法のブロック体１′を準備し、このブロック体１′を連続的にＸ方向に送りながら、幅Ｓ′のところで切れ刃１５，１６の下降量を大きくして離形紙１２を裁断するようにしてもよい。
【産業上の利用可能性】
【００２３】
本発明の目地材集合体は、主として建築用の目地材に適用が可能であるほか、同様の目的で使用される他の用途の目地材にも適用が可能である。
【図面の簡単な説明】
【００２４】
【図１】図１（ａ）は、本発明の建築用目地材の一実施形態を示す斜視図、（ｂ）は（ａ）の目地材集合体を矢印Ｉ方向から見た部分拡大図である。
【図２】上記構成の目地材集合体１を形成する手順を説明する図で、（ａ）はその斜視図、（ｂ）（ｃ）は切れ刃による裁断の様子を示すＩ方向矢視拡大図である。
【図３】裁断方法の別の実施形態を示す斜視図である。
【図４】二種類の切れ刃の部分拡大図である。
【符号の説明】
【００２５】
１        目地材集合体
１′      ブロック体
１ａ′    端面
１１      目地材
１２      離形紙
１３      粘着層
１５，１６      切れ刃
１５ａ，１６ａ  本体部
１５ｂ，１６ｂ  テーパ部
１５ｃ，１６ｃ  刃部
１６ｄ          平坦面
Ｌ              目地材（ブロック体）の長さ
Ｈ              目地材（ブロック体）の肉厚
Ｓ              目地材の幅
【図１】
2019031788.tif 000003
【図２】
2019031788.tif 000004
【図３】
2019031788.tif 000005
【図４】
2019031788.tif 000006